(57)【特許請求の範囲】
【請求項１】
ファン部に断熱材を介してフィルタ枠を取り付け、ファン部の前面に送風口を設け、このファン部の前面部にフィルタ枠の後端部を取り付け、フィルタ枠内にフィルタを内装し、フィルタ枠内においてフィルタとファン部の前面との間に断熱材を内装し、この断熱材にファン部の前面の送風口に対応した孔部を形成し、断熱材のフィルタ側の前面部を孔部側ほど後方位置となるように凹ませて断熱材とフィルタとの間に隙間を形成して成ることを特徴とする給気ファン装置。
【請求項２】
断熱材がファン部とフィルタ枠との間の隙間を閉塞する気密部材を兼用していることを特徴とする請求項１記載の給気ファン装置。
【請求項３】
ファン部の前面部にファンの電源スイッチを設け、断熱材を介してファン部にフィルタ枠を取り付けた状態で、電源スイッチをオン状態にするためのスイッチ押部が断熱材に設けてあることを特徴とする請求項１又は請求項２のいずれかに記載の給気ファン装置。
【請求項４】
フィルタ枠の前面側にルーバパネルを取り付け、フィルタ枠の周部とルーバパネルの裏面に断熱材を設けて成ることを特徴とする請求項１乃至請求項３のいずれかに記載の給気ファン装置。
【発明の詳細な説明】
【０００１】
【発明の属する技術分野】
本発明は、給気ファン装置に関するものである。
【０００２】
【従来の技術】
高気密、高断熱住宅においては、住宅の換気回数が不足し、空気汚染や結露、ダニ、かびの発生等の問題がある。これらの問題に対して、２４時間運転する計画換気システムが非常に有効である。この換気システムにおいて、外の新鮮な空気を供給する給気ファンには外気を浄化するためのフィルタが内蔵してある場合が多い。
【０００３】
しかして、冬季などに、温度の低い外気が給気ファンから高湿な室内に供給されると、給気される低温の空気がフィルタ枠部やルーバパネルの温度を低下させ、そこに室内の湿った空気が接触して、結露が発生するという問題がある。また、フィルタ枠には室内に供給する外気を浄化するためのフィルタが内蔵してあるが、このフィルタの圧損によりファン部から供給される空気の一部がフィルタ枠とファン部の間から漏れ、この空気によってフィルタ枠部が冷やされて結露が起こるという問題がある。
【０００４】
更に、２４時間計画換気システムにおいては、給気ファンは２４時間連続運転することが必要である。しかしながら掃除や、フィルタの交換等の給気ファンのメンテナンスを行う際にはファンの電源スイッチをオフにした状態で行う必要があるが、メンテナンスが終わった段階で電源スイッチをオンにすることを忘れてしまうことがあり、このような場合には換気が行われないという問題がある。
【０００５】
【発明が解決しようとする課題】
本発明は上記の点に鑑みてなされたものであり、結露の発生を防止し、フィルタによる圧損を防止し、また、メンテナンスの後に電源スイッチの入れ忘れがない給気ファン装置を提供することを目的とするものである。
【０００６】
【課題を解決するための手段】
本発明に係る給気ファン装置は、ファン部１に断熱材２を介してフィルタ枠３を取り付け、ファン部１の前面に送風口４を設け、このファン部１の前面部にフィルタ枠３の後端部を取り付け、フィルタ枠３内にフィルタ５を内装し、フィルタ枠３内においてフィルタ５とファン部１の前面との間に断熱材２を内装し、この断熱材２にファン部１の前面の送風口４に対応した孔部６を形成し、断熱材２のフィルタ５側の前面部を孔部６側ほど後方位置となるように凹ませて断熱材２とフィルタ５との間に隙間７を形成して成ることを特徴とするものである。このような構成とすることで、冷たい外気が給気されるファン部１とフィルタ枠３との接合部分における断熱が図れてフィルタ枠３の温度が低下し難いようにしてフィルタ枠３に結露が発生し難いようにすることができるうえに、送風口４から供給された空気が断熱材２の孔部６を通ってフィルタ５に流れる際、断熱材２の前面の孔部６側ほど後方位置となるように凹ませた部分に沿って空気が流れて広い面積にわたってフィルタ５に空気が供給され、これによりフィルタ５の圧損が防止できるものである。
【０００７】
また、断熱材２がファン部１とフィルタ枠３との間の隙間を閉塞する気密部材８を兼用していることが好ましい。このような構成とすることで、ファン部１とフィルタ枠３との接続部分における空気の漏れを防止し、漏れる空気によりフィルタ枠３が冷やされてフィルタ枠３に結露が発生するのを防止することができるものである。
【０００９】
また、ファン部１の前面部にファン９の電源スイッチ１０を設け、断熱材２を介してファン部１にフィルタ枠３を取り付けた状態で、電源スイッチ１０をオン状態にするためのスイッチ押部１１が断熱材２に設けてあることが好ましい。このような構成とすることで、フィルタ枠３を取り外して電源スイッチ１０をオフにして掃除やフィルタ５の交換等のメンテナンスを行った後、再びフィルタ枠３をファン部１に取り付けた場合、断熱材２に設けたスイッチ押部１１により電源スイッチ１０が自動的にオンされることになる。
【００１０】
また、フィルタ枠３の前面側にルーバパネル１２を取り付け、フィルタ枠３の周部とルーバパネル１２の裏面に断熱材１３、１４を設けることが好ましい。このような構成とすることで、断熱材１３によりフィルタ枠３が更に断熱されるとともに、ファン９から送られる空気がルーバパネル１２の裏面に当ってルーバパネル１２を冷やそうとするが、断熱材１４によりルーバパネル１２の断熱が図られるものである。
【００１１】
【発明の実施の形態】
以下、本発明の実施の形態を説明する。
【００１２】
ファン装置Ａはファン部１と、ファン部１の前部に取り付けられるフィルタ枠３と、フィルタ枠３の前部に取り付けられるルーバパネル１２とで構成してある。
【００１３】
ファン部１はファン９、モータ等を内装した胴部１５の前端部に四角形状をした前面部１６が設けて構成してあり、前面部１６の中央部には送風口４が設けてある。ファン部１の前面部１６にはファン９の電源スイッチ１０が設けてあり、更に前面部１６の両側端部に係止部１７が設けてある。
【００１４】
フィルタ枠３は角筒状をしており、筒体１８の後部の後筒部２０が前部の前筒部１９よりも大径となっており、後筒部２０の前端と前筒部１９の後端とが段部２１を介して一体に連続している。また、後筒部２０の前後方向の略中央部の外周に外側段片２２が一体に突出してあり、この外側段片２２の先端部から前方に向けて角筒状をした外側筒部２３が一体に連設してある。外側筒部２３の先端部は前筒部１９の前端よりも後方にずれた位置となっている。また、外側筒部２３と筒体１８との間には断熱材嵌め込み凹所２４が形成してある。前筒部１９の前端部には図１、図９、図１１に示すように、前面開口を複数区画に区切るための区切り枠部２５が設けてあり、区切り枠部２５に囲まれた部分がそれぞれフィルタ嵌め込み部２６となっている。段部２１には図１０に示すように、フィルタ固定ばね２７を着脱自在に支持するばね支持部２８が設けてある。
【００１５】
そして、前筒部１９内にフィルタ５が内装されるのであるが、実施形態では図９に示すように、フィルタ５が活性炭フィルタ５ａと不織布フィルタ５ｂとで構成してあり、各フィルタ嵌め込み部２６にそれぞれ活性炭フィルタ５ａが嵌め込まれ、更に、複数の活性炭フィルタ５ａの後ろに不織布フィルタ５ｂが嵌め込まれて内装され、この状態で、フィルタ固定ばね２７を対向する段部２１間に掛け渡してばね支持部２８に着脱自在に支持させて不織布フィルタ５ｂを押圧することで、フィルタ５をフィルタ枠３の内部の前部に内装して取り付けるものである。
【００１６】
フィルタ枠３の内部の上記フィルタ５の後方位置に板状をした断熱材２が着脱自在に嵌め込まれて内装してある。この場合板状をした断熱材２は前面部の外周端部が段部２１に当って支持される。この断熱材２は板状をした前断熱材２ａと前断熱材２ａの背面に取着された後断熱材２ｂとで構成してある。ここで、後断熱材２ｂは気密性を確保するための気密部材８としての役目を有したものであり、柔軟性を有し且つ気密性を有し且つ断熱性を有する材料により形成してあり、例えば発泡ポリウレタン樹脂製の柔軟性を有するシートにより構成してあるが、必ずしもこれにのみ限定されないものである。前断熱材２ａは例えば発泡ポリスチレン等により形成してある。そして、上記のような、前断熱材２ａと後断熱材２ｂとを積層して構成した板状の断熱材２は中央部にファン部１の前面部１６に設けた送風口４と同じ大きさの孔部６が形成してある。後断熱材２ｂの一部に切欠部が設けてあり、この切欠部に対応する前断熱材２ａの後面に突起が設けてあって、この突起がスイッチ押部１１となっている。また、前断熱材２ａの前面部は孔部６側ほど後方位置となるように傾斜面５０を設けることで凹ませてあり、このように傾斜面５０を設けて凹ませることで断熱材２とフィルタ５との間に隙間７を形成するようになっている。また、前断熱材２ａの前面外周端部がフィルタ５の後面外周端部に当接している。
【００１７】
外側筒部２３と筒体１８との間の断熱材嵌め込み凹所２４には断面角形のリング状をした別の断熱材１３が嵌め込んであってフィルタ枠３の周部に装着してある。そして、この断熱材１３により前筒部１９の外周を覆ってある。ルーバパネル１２は、角筒状をした枠体部５１の前端部の内周部に内鍔片２８を一体に設け、内鍔片２８の内周部から前方に向けて側片２９を一体に突設し、側片２９の先端部に前枠部４０を一体に設け、前枠部４０に前面板部３０を係止手段により取り付けてある。側片２９には吹き出し口３１が設けてある。前面板部３０の背面には上記とは別の板状をした断熱材１４が取着してある。この断熱材１４としては例えば厚さ５ｍｍの板状をした発泡ポリエチレン製の断熱材が使用されるが、必ずしもこれにのみ限定されるものではない。
【００１８】
上記の構成のルーバパネル１２はフィルタ枠３の前部に取り付けられるものであり、この場合、フィルタ枠３の前筒部１９の外周を覆ったリング状の断熱材１４の外周部にルーバパネル１２の枠体部５１が被嵌して圧入されることで、フィルタ枠３の前部にルーバパネル１２が取り付けられるものである。
【００１９】
また、ファン部１の前部にはフィルタ枠３を着脱自在に取り付けられるが、この場合、ファン部１の前面部１６にフィルタ枠３の後筒部２０を被嵌し、係止部１７を被係止部２９に着脱自在に係止することで取り付けるものである。この場合、断熱材２の後断熱材２ｂがファン部１の前面部１６に押し付けられて密着することで、後断熱材２ｂが気密部材８としての役目をはたしてファン部１とフィルタ枠３との接合部分において空気が漏れないようにしてある。このようにしてファン部１に断熱材２を介してフィルタ枠３を取り付けた場合、断熱材２に設けたスイッチ押部１１により電源スイッチ１０が押されて自動的にオンされることになっている。したがって、掃除やフィルタ５の交換等のメンテナンスに当っては、図６（ａ）（ｂ）の順序でフィルタ枠３をファン部１から外し、電源スイッチ１０をオフにした状態で行うのであるが、メンテナンスが終わってフィルタ枠３をファン部１に再び取り付けた場合、スイッチ押部１１により電源スイッチ１０が押されて自動的にオンされるので、電源スイッチ１０をオンにするのを忘れるというようなことがなく、２４時間連続してファン５を運転するという２４時間計画換気システムに本発明の給気ファン装置Ａを使用しても電源スイッチ１０の入れ忘れが防止できるものである。なお、図においては、弾性を有する突起状の係止部１７が孔状の被係止部２９に突入係止してあり、係止部１７を図６のように指で押し込むことで、フィルタ枠３を取り外すことができるようになっている。
【００２０】
上記のような構成のファン装置Ａは図８に示すように、建物の壁Ｂに設けた換気用パイプＣに胴部１５を嵌め込んでねじＤにより壁Ｂに取り付けるものである。
【００２１】
しかして、ファン５を運転することで、給気ファン装置Ａにより外気を室内に給気するのであるが、この場合、冬季において、冷たい外気が給気ファン装置Ａ内を通過して室内に供給される際、上記のように、ファン部１に断熱材２を介してフィルタ枠３を取り付けてあるので、冷たい外気が給気されるファン部１とフィルタ枠３との接合部分における断熱が図れてフィルタ枠３の温度が低下し、室内の湿気がフィルタ枠３部分で結露となるのを防止するようにしてある。ここで、断熱材２がファン部１とフィルタ枠３との間の隙間を閉塞する気密部材８を兼用しているので、ファン部１とフィルタ枠３との接続部分における冷たい空気が漏れることがなく、この結果、冷たい空気が接続部から漏れて断熱材２以外の部分でフィルタ枠３を冷やすというおそれがなく、これによっても冷たい空気でフィルタ枠３が冷やされるのが防止できて、フィルタ枠３に結露が発生するのをさらに防止することができるものである。ところで、このようにファン部１とフィルタ枠３との接続部分から冷たい空気が漏れないようにするためにファン部１の前面部１６の中央部に送風口４を設け、送風口４以外の前面部に気密部材８を兼ねる断熱材２を密接することで、断熱材２により空気流入面積を低下させることになるが、前述のように、断熱材２にファン部１の前面の送風口４に対応した孔部６を形成し、断熱材２のフィルタ５側の前面部を孔部６側ほど後方位置となるように凹ませて断熱材２とフィルタ５との間に隙間７を形成してあるので、送風口４から供給された空気が断熱材２の孔部６を通ってフィルタ５に流れる際、断熱材２の前面の孔部６側ほど後方位置となるように凹ませた部分に沿って流れて広い面積にわたってフィルタ５に供給され、これによりフィルタ５の圧損が防止できる。
【００２２】
また、冷たい空気はフィルタ枠５を通過してフィルタ４により浄化されるのであるが、このフィルタ枠５を通過する際、フィルタ枠５の周部にリング状の断熱材１３が設けてあるので、冷たい空気でフィルタ枠５の外側筒部２３やルーバパネル１２の枠体部２６が冷やされることがなく、これにより、さらにフィルタ枠５に結露が発生するのが防止されるとともにルーバパネル１２の枠体部２６に結露が発生するのが防止されるものである。
【００２３】
フィルタ４を通過した冷たい空気はルーバパネル１２の前面板部３０の後面に設けた断熱材１４に当って方向転換されて吹き出し口３１から室内に吹き出される。この場合冷たい空気が断熱材１４に当るためルーバパネル１２の前面板部３０が冷されることが無く、この結果、ルーバパネル１２の前面板部３０に結露が発生するのが防止されるものである。
【００２４】
【発明の効果】
上記のように本発明の請求項１記載の発明にあっては、ファン部に断熱材を介してフィルタ枠を取り付けてあるので、冷たい外気が給気されるファン部とフィルタ枠との接合部分における断熱が図れてフィルタ枠の温度が低下し難いようにしてフィルタ枠に結露が発生し難いようにすることができるものであり、さらに、ファン部の前面に送風口を設け、このファン部の前面部にフィルタ枠の後端部を取り付け、フィルタ枠内にフィルタを内装し、フィルタ枠内においてフィルタとファン部の前面との間に断熱材を内装し、この断熱材にファン部の前面の送風口に対応した孔部を形成し、断熱材のフィルタ側の前面部を孔部側ほど後方位置となるように凹ませて断熱材とフィルタとの間に隙間を形成してあるので、送風口から供給された空気が断熱材の孔部を通ってフィルタに流れる際、断熱材の前面の孔部側ほど後方位置となるように凹ませた部分に沿って空気が流れて広い面積にわたってフィルタに空気が供給され、これによりフィルタの圧損が防止できて、断熱材を設けて結露の発生を防止するような構造としたにもかかわらず風量の低下を防止できるものである。
【００２５】
また、請求項２記載の発明にあっては、上記請求項１記載の発明の効果に加えて、断熱材がファン部とフィルタ枠との間の隙間を閉塞する気密部材を兼用しているので、ファン部とフィルタ枠との接続部分における空気の漏れを防止できるものであり、この結果、接続部分から漏れる空気によってフィルタ枠が冷やされるということがなく、この点でもフィルタ枠に結露が発生するのを防止することができるものである。
【００２７】
また、請求項３記載の発明にあっては、上記請求項１又は請求項２のいずれかに記載の発明の効果に加えて、ファン部の前面部にファンの電源スイッチを設け、断熱材を介してファン部にフィルタ枠を取り付けた状態で、電源スイッチをオン状態にするためのスイッチ押部が断熱材に設けてあるので、フィルタ枠を取り外して電源スイッチをオフにして掃除やフィルタの交換等のメンテナンスを行った後、再びフィルタ枠をファン部に取り付けた場合、断熱材に設けたスイッチ押部により電源スイッチが自動的にオンされることになり、この結果、２４時間連続してファンを運転するという２４時間計画換気システムに本発明の給気ファン装置を使用しても電源スイッチの入れ忘れが確実に防止できるものである。
【００２８】
また、請求項４記載の発明にあっては、上記請求項１乃至請求項３のいずれかに記載の発明の効果に加えて、フィルタ枠の前面側にルーバパネルを取り付け、フィルタ枠の周部とルーバパネルの裏面に断熱材を設けてあるので、断熱材によりフィルタ枠が更に断熱されるとともに、ファンから送られる空気がルーバパネルの裏面に当ってルーバパネルを冷やそうとするが、断熱材によりルーバパネルの断熱が図られ、これにより結露の発生を確実に防止できるものである。
【図面の簡単な説明】
【図１】本発明の給気ファン装置の要部拡大断面図である。
【図２】同上の正面図である。
【図３】同上の側面図である。
【図４】同上の壁への取り付け状態を示す斜視図である。
【図５】同上のファン部からフィルタ枠を取り外した状態を説明する斜視図である。
【図６】（ａ）（ｂ）は同上のファン部からフィルタ枠を取り外す順序を示す説明図である。
【図７】同上のファン部を背面から見た斜視図である。
【図８】同上のファン部を正面側から見て換気用パイプに嵌め込む前の状態を示す斜視図である。
【図９】同上のフィルタ枠とフィルタとを示す斜視図である。
【図１０】同上のフィルタ枠と断熱材とを示す斜視図である。
【図１１】同上のフィルタ枠とフィルタ固定ばねと断熱材とを示す斜視図である。
【図１２】同上に用いるルーバパネルの分解斜視図である。
【符号の説明】
１  ファン部
２  断熱材
３  フィルタ枠
４  送風口
５  フィルタ
６  孔部
７  隙間
８  気密部材
９  ファン
１０  電源スイッチ
１１  スイッチ押部
１２  ルーバパネル
１３  断熱材
１４  断熱材
【図１】
0003565010.tif 000002
【図２】
0003565010.tif 000003
【図３】
0003565010.tif 000004
【図４】
0003565010.tif 000005
【図５】
0003565010.tif 000006
【図６】
0003565010.tif 000007
【図７】
0003565010.tif 000008
【図８】
0003565010.tif 000009
【図９】
0003565010.tif 000010
【図１０】
0003565010.tif 000011
【図１１】
0003565010.tif 000012
【図１２】
0003565010.tif 000013